(57)【要約】本出願は、接近困難なねじ切り締結具を、締め付けたり、緩めたりしたり、又は、締め付けと緩めることの両方を行う、電気的、油圧的、および／または、空気圧的に駆動されるトルク工具と共に使用されると共に、駆動延長部アセンブリ１１０、リアクションアセンブリ１２０およびソケット・アセンブリ１３０を含む装置１００を開示する。好適には、本発明は、延長された駆動球体およびソケットによる継手接続構造により締結具を回転させる間、２本または４本の隣接スタッド上に保持される外側リアクション部材を使用する。それは、反対の作用を受ける点を、回転されつつある締結具に対して相当に接近させることにより、各ボルト上の反力からの側面荷重およびシステム応力を更に効率的に分散／減少する。それは、締結具に対する複数の接近角度を許容すると共に、締結具に対する複数の障害物に対して適合可能である。それは、比較的に軽量であり、締結具毎の操作が容易であり、且つ、全体的にユーザー・フレンドリーである。
2020523209.tif 000002
【特許請求の範囲】
【請求項１】
ねじ切りアセンブリ締結具を、締め付けたり、緩めたりしたり、又は、締め付けと緩めることの両方を行う、電気的、油圧的、及び／又は、空気圧的に駆動されるトルク工具と共に使用される装置であって、
駆動延長部アセンブリと、
リアクションアセンブリと、
ソケット・アセンブリと、
を含む、装置。
【請求項２】
前記駆動延長部アセンブリは、駆動コネクタと駆動延長部六角球体との間に形成された駆動延長部を有し、
前記リアクションアセンブリは、リアクション管体及びリアクションプレートを有し、
前記ソケット・アセンブリは、前記ねじ切りアセンブリ締結具及び前記駆動延長部六角球体を受け入れる駆動ソケットを有する、請求項１記載の装置。
【請求項３】
前記駆動延長部アセンブリは、前記駆動コネクタ及び前記駆動延長部を前記リアクション管体内に支持かつ維持する駆動案内ブッシュ及びカバー／支持スリーブを有し、
前記リアクションプレートは複数の隣接締結具に対する複数のリアクション係合部を有し、
前記ソケット・アセンブリは、締結具係合手段、球体撓曲手段、及び、球体係合手段を有する、請求項２記載の装置。
【請求項４】
前記リアクションアセンブリは、拘束リングと、前記複数の隣接締結具に対する複数の保護スリーブと、ダート・シールドとを有し、且つ、
前記ソケット・アセンブリは、複数の拘束リングを有する、請求項３記載の装置。
【請求項５】
２つの隣接締結具に対する２つのリアクション係合部を含む、請求項３記載の装置。
【請求項６】
４つの隣接締結具に対する４つのリアクション係合部を含む、請求項３記載の装置。
【請求項７】
前記リアクション管体及び前記リアクションプレートはスプライン接続手段を介して結合される、請求項３記載の装置。
【請求項８】
前記駆動延長部六角球体と球体係合手段との結合によれば、複数の角度における各締結具の係合が許容される、請求項３記載の装置。
【請求項９】
前記駆動延長部アセンブリは、実質的に前記リアクションアセンブリの内部に配設され、且つ、
前記駆動延長部アセンブリ及び前記リアクションアセンブリは、これらのアセンブリが動作している間に逆方向において協働的に且つ相対的に回転されることを許容する機構により相互に結合される、請求項１記載の装置。
【請求項１０】
請求項１〜９の何れか一項に記載の装置を含む、ねじ切り締結具を、締め付けたり、緩めたりしたり、又は、締め付けと緩めることの両方を行う、電気的、油圧的、及び／又は、空気圧的に駆動されるトルク工具。
【請求項１１】
ねじ切り締結具と、
請求項１０記載の工具とを含む、
対象物を締結するシステム。
【請求項１２】
実質的に、添付図面に関して明細書において記述されると共に図面中に示された、装置、工具又はシステム。
【請求項１３】
添付図面に関して本明細書において記述されると共に図面中に示された、一切の新規な特徴、又は、各特徴の新規な組み合わせ。
【発明の詳細な説明】
【技術分野】
【０００１】
（関連出願および特許に対する相互参照）
本出願は、本出願と同様に本出願人が所有する及び／又は同時係属中の以下の特許出願の優先権を主張し、及び／又は、それの継続特許出願もしくは一部継続出願である。「ねじ切り締結具を締め付ける装置」と称する２０１７年６月１４日の出願日を有する米国出願第６２／５１９，２３１号明細書の全体的内容は、参照により本出願中に援用される。
【背景技術】
【０００２】
産業用のボルト締結の適用においては、接近して作業を行うことのできない締結具を含む場合がしばしばある。ひとつの斯かる用途は、サイズが１１１８ｍｍ×１６００ｍｍ×１４０ｍｍ（４４ｉｎｃｈ×６３ｉｎｃｈ×５．５ｉｎｃｈ））である５ピース式のフランジリム・アセンブリ１０上に取付けられて５９／８０  Ｒ６３の標準サイズを有する岩石運搬用のチューブレスのラジアル・タイヤ２を含むコマツ９８０マイニングトラック１において見出される。各タイヤ２は、７５８ｋＰａ（１１０ｐｓｉ）の冷間タイヤ空気圧にて定格設定される。典型的なタイヤ総重量は３２５８５ｋｇ（７１，８３８ポンド）にも達する。各リム・アセンブリ１０は、外側の相対的に高寸である円周方向配列の締結具１２により囲繞されて、各々が２４４０〜２５７６Ｎ・ｍ（１８００〜１９００ｆｔ・ｌｂｓ）のトルクを必要とする内側の相対的に低寸である円周方向配列の接近困難な締結具１１を含むことを理解されたい。図１〜図３を参照されたい。
【発明の概要】
【発明が解決しようとする課題】
【０００３】
従来の工具では締結具１１に接近することはできない。公知の締め付け用解決手段５０は、駆動シャフト延長部５２を備えて十字形の様に形状化されたリアクション固定具５１を必要とする。公知の解決手段５０では、リアクション固定具５１の各側が、締結具１１から相当に離間した第３の円周方向配列の締結具１３のボルト頭部から反対の作用を受ける。この欠陥的な解決手段は、ソケット５３、リアクション固定具５１及び駆動延長部５２の位置及び角度５０の故に、システムに対して過剰な応力及び側方負荷を加える。反対の作用を受ける点５５及び５６は、締結具１１から距離Ｈ５０だけ離間される。駆動シャフト延長部５２、工具４０、及び、内部の工具用歯車機構の破損、及び、リアクション固定具５１の滑動に関する相当なリスクは、公知の解決手段５０の特性である。図４〜図５を参照されたい。
【課題を解決するための手段】
【０００４】
本出願は、接近することが困難なねじ切り締結具を、締め付けたり、緩めたり、又は、締め付けと緩めることの両方を行う、電気的、油圧的、及び／又は、空気圧的に駆動されるトルク工具と共に使用されると共に、駆動延長部アセンブリ１１０、リアクションアセンブリ１２０及びソケット・アセンブリ１３０を含む装置１００を開示する。好適には、本発明は、延長された駆動球体及びソケットによる継手接続構造により締結具を回転させる間、２本又は４本の近傍スタッド上に保持される外側リアクション部材を使用する。それは、反対の作用を受ける点を、回転されつつある締結具に対して相当に接近させることにより、各ボルト上の反力からの側面荷重及びシステム応力を更に効率的に分散／減少する。それは、締結具に対する複数の接近角度を許容すると共に、締結具に対する複数の障害物に対して適合可能である。それは、比較的に軽量であり、締結具毎の操作が容易であり、且つ、全体的にユーザー・フレンドリーである。公知の締め付け用解決手段５０と比較して、装置１００は、反対の作用を受ける点から離間したところでの捻れが無く、又は、漸動（ｃｒｅｅｐ）もしくは這動（ｃｒａｗｌ）の傾向が無い、安定的で信頼でき、頑丈でコンパクトなシステムである。
【図面の簡単な説明】
【０００５】
【図１】コマツ９８０マイニングトラック１の側部斜視図である
【図２】５ピース式のフランジリム・アセンブリ１０の斜視図である。
【図３】内側の相対的に低寸である円周方向配列の接近困難な締結具１１の一部の斜視図である。
【図４】公知の締め付け用解決手段５０の斜視図である。
【図５】公知の締め付け用解決手段５０の他の斜視図である。
【図６Ａ】本発明の装置１００の斜視図である。
【図６Ｂ】本発明の装置１００の底面図である。
【図６Ｃ】本発明の装置１００の断面図である。
【図７】本発明の装置２００の斜視図である。
【図８】本発明の装置３００の斜視図である。
【発明を実施するための形態】
【０００６】
図６Ａ、図６Ｂ及び図６Ｃを参照すると、例示的にのみ、装置１００は、駆動延長部アセンブリ１１０、リアクションアセンブリ１２０、及び、ソケット・アセンブリ１３０を含んでいる。駆動延長部アセンブリ１１０は、駆動延長部１１１、駆動コネクタ１１２、駆動延長部六角球体１１３、駆動案内ブッシュ１１４、及び、カバー／支持スリーブ１１５を含み得る。リアクションアセンブリ１２０は、リアクション管体１２１、リアクションプレート１２２、外側拘束リング１２３、挿通プロテクタ・スリーブ１２４、ＳＨＣＳ１２５、ダート・シールド１２６、ＳＨＣＳ１２８、及び、複数のＳＨＣＳ１２９を含み得る。ソケット・アセンブリ１３０は、側面駆動ソケット１３１、締結具係合手段１３２、球体撓曲手段１３３、球体係合手段１３４、内側ソケット拘束リング１３５、及び、外側ソケット拘束リング１３６を含み得る。
【０００７】
操作の間において、装置１００は、組立てられると共に、たとえば、（不図示の）ＨＹＴＯＲＣ空気圧式トルク・マルチプライヤに対して結合される。駆動延長部アセンブリ１１０の各構成要素は、リアクション管体１２１内へと挿入される。詳細には、駆動延長部１１１は、一端にて、駆動コネクタ１１２に対して接続され、且つ、駆動延長部１１１の六角球体１１３は、他端にて、側面駆動ソケット１３１に対して接続される。これらの部材は、駆動案内ブッシュ１１４及びカバー／支持スリーブ１１５を介し、システムに対して同心的に支持して維持される。側面駆動ソケット１３１は、拘束リング１３５及び１３６により六角球体１１３に対して取付けられる。
【０００８】
リアクションプレート１２２は、各ＳＨＣＳ１２９を介してリアクション管体１１１に対して結合されると共に、工具の等しい逆向きの反力を、外側の相対的に高寸である円周方向配列の締結具１２の複数のスタッドに対して伝達する。リアクションプレート１２２の各挿通プロテクタ・スリーブ１２４は、各スタッドに対して痕跡を付けたり、又は破損することを阻止する。リアクション管体１１１に対して取付けられると共に、駆動案内ブッシュ１１４により所定位置に保持されたダート・シールド１２６は、システムの各構成要素をシールすることで、安全性を高めると共に、内部の駆動構成要素上に付着する異物を減少する。
【０００９】
図７には、本発明の別実施例が示される。装置２００は、同様の参照符号により明らかである如く、装置１００と同一である多くの構成要素を含んでいる。但し、特に、装置２００は、外側の相対的に高寸である円周方向配列の締結具１２の４本のスタッドからではなく、それらの内の２本に作用する。更に、装置２００はダート・シールドを含まない。
【００１０】
図８には、本発明の別実施例が示される。装置３００は、同様の参照符号により明らかである如く、装置１００と同一である多くの構成要素を含んでいる。但し、特に、リアクションプレート３２２及びリアクション管体３２１は、スプライン接続手段３２７を介して結合される。好適には、スプライン接続手段３２７は、リアクションプレート３２２の垂直変位、及び、装置２００の更に大きい全体的な負荷支持を許容する。更に、装置３００は、ダート・シールドを含まない。
【００１１】
上述された要素の各々は、又は、２つ以上が協働して、上述された形式とは異なる形式の構成においても有効な用途を見出し得ることは理解される。上記説明もしくは以下の各請求項もしくは添付図面において開示され、自身の特定形態で、もしくは、開示された機能を実施する手段に関して表現された特徴、又は、適切であれば、開示された結果を達成する方法もしくはプロセスは、別体的に、又は、斯かる特徴の任意の組合せにて、それらの多様な形態にて発明を実現すべく利用され得る。本明細書において、付番された構成要素の説明には、僅かな違いが在り得ることを銘記されたい。
【００１２】
本発明は、流体作動式の工具として具現されたとものして図示かつ記述されてきたが、示された詳細に限定されることは意図されない、と言うのも、本発明の精神から何ら逸脱せずに、種々の改変、構造的及び構成的な変更、サイズ及び材料の変更などが為され得るからである。
【００１３】
更なる検討なしで、上述の内容は、他者が、現在の知見を適用することにより、それを、先行技術の観点から、本発明の包括的また特定的な見地の本質的な特性を明確に構成する特徴を除外せずに種々の用途に対して容易に適合化し得る様に、本発明の要旨を十分に明らかとしている。
【００１４】
本出願及び各請求項において使用されたとき、「備える」、「含む」、「有する」、及び、それらの変化形は、特定の特徴、段階又は整数が包含されることを意味している。各語句は、他の特徴、段階又は構成要素の存在を除外すると解釈されるべきでない。
【図１−３】
2020523209.tif 000003
【図４】
2020523209.tif 000004
【図５】
2020523209.tif 000005
【図６Ａ】
2020523209.tif 000006
【図６Ｂ】
2020523209.tif 000007
【図６Ｃ】
2020523209.tif 000008
【図７】
2020523209.tif 000009
【図８】
2020523209.tif 000010
【国際調査報告】
2020523209.tif 000011
2020523209.tif 000012